(57)【要約】【課題】記録媒体のサイズによらずスムーズに記録媒体を搬送することが可能な記録媒体搬送装置を提供すること。【解決手段】記録媒体を搬送する複数の搬送経路を有し、第１搬送経路と第２搬送経路との合流箇所に、前記第１搬送経路又は前記第２搬送経路を遮断するフラップが、支持軸を支点として揺動可能に設けられ、前記フラップは、前記記録媒体の搬送方向に直交する方向に設けられる複数の単位フラップを有し、複数の単位フラップは、第１単位フラップの揺動に伴って当該第１単位フラップに隣接する単位フラップが一体的に揺動するように形成されており、前記第１搬送経路を開放しかつ前記第２搬送経路を遮断するように付勢されている。【選択図】図７
2011057354.tif 000002
【特許請求の範囲】
【請求項１】
記録媒体を搬送する複数の搬送経路を有し、
第１搬送経路と第２搬送経路との合流箇所に、前記第１搬送経路又は前記第２搬送経路を遮断するフラップが、支持軸を支点として揺動可能に設けられ、
前記フラップは、前記記録媒体の搬送方向に直交する方向に設けられる複数の単位フラップを有し、
複数の単位フラップは、第１単位フラップの揺動に伴って当該第１単位フラップに隣接する単位フラップが一体的に揺動するように形成されており、
前記第１搬送経路を開放しかつ前記第２搬送経路を遮断するように付勢されている
記録媒体搬送装置。
【請求項２】
前記単位フラップは、隣接する単位フラップに係合する係合部を有する
請求項１に記載の記録媒体搬送装置。
【請求項３】
前記係合部は、隣接する前記単位フラップとの間の係合状態を切り替える切替部を有する
請求項２に記載の記録媒体搬送装置。
【請求項４】
前記切替部は、前記記録媒体の押圧力によって前記係合状態を切り替え可能に設けられている
請求項３に記載の記録媒体搬送装置。
【請求項５】
前記単位フラップは、個別に付勢されている
請求項１又は請求項２に記載の記録媒体搬送装置。
【発明の詳細な説明】
【技術分野】
【０００１】
本発明は、記録媒体搬送装置に関するものである。
【背景技術】
【０００２】
媒体給送装置の１つであるシート供給装置には、複数のシート供給系統からシート供給経路を介してシートを供給することができるものがある。このようなシート供給装置は、各シート供給系統にローラがそれぞれ配設され、各シート供給経路に沿ってガイド部材がそれぞれ配設され、各シート供給経路の合流点に一対のローラが配設されている。そして、各ガイド部材は、上記合流点側を自由端とし他端側を軸支持した回動自在の構成となっている。
【０００３】
各シート供給経路をシートがスムーズに通過できるようにするため、各ガイド部材を全て微調整する必要があり、手間が掛かっている。また、シートは、各シート供給系統に配設されているローラのみにより各シート供給経路に送り出されてくるため、各シート供給経路途中で給送エラーを引き起こし易い。このため、例えば特許文献１に示すように、フラップを設けることにより、シート供給経路を切り替え可能になっている。この構成においては、シートが複数の単位フラップを押圧することにより、各単位フラップが独立して揺動するようになっている。
【先行技術文献】
【特許文献】
【０００４】
【特許文献１】特開２００６−１１７３８６号公報
【発明の概要】
【発明が解決しようとする課題】
【０００５】
しかしながら、特許文献１に記載のフラップにおいては、各単位フラップが独立して陽動してしまうため、シートのサイズによってはフラップにシートが引っかかってしまい、シート詰まりの原因となっていた。  
上記のような事情に鑑み、本発明は、記録媒体のサイズによらずスムーズに記録媒体を搬送することが可能な記録媒体搬送装置を提供することを目的とする。
【課題を解決するための手段】
【０００６】
本発明に係る記録媒体搬送装置は、記録媒体を搬送する複数の搬送経路を有し、第１搬送経路と第２搬送経路との合流箇所に、前記第１搬送経路又は前記第２搬送経路を遮断するフラップが、支持軸を支点として揺動可能に設けられ、前記フラップは、前記記録媒体の搬送方向に直交する方向に設けられる複数の単位フラップを有し、複数の単位フラップは、第１単位フラップの揺動に伴って当該第１単位フラップに隣接する単位フラップが一体的に揺動するように形成されており、前記第１搬送経路を開放しかつ前記第２搬送経路を遮断するように付勢されている。
【０００７】
本発明によれば、第１搬送経路又は第２搬送経路を遮断するフラップが、支持軸を支点として揺動可能に設けられ、フラップが記録媒体の搬送方向に直交する方向に設けられる複数の単位フラップを有し、複数の単位フラップは、第１単位フラップの揺動に伴って当該第１単位フラップに隣接する単位フラップが一体的に揺動するように形成されており、第１搬送経路を開放しかつ第２搬送経路を遮断するように付勢されていることとしたので、記録媒体のサイズによらず連動して揺動することができる。これにより、記録媒体のサイズによらずスムーズに記録媒体を搬送することができる。
【０００８】
上記の記録媒体搬送装置は、前記単位フラップは、隣接する単位フラップに係合する係合部を有することが好ましい。  
本発明によれば、単位フラップが隣接する単位フラップに係合する係合部を有することとしたので、単位フラップ同士を確実に連動させることができる。
【０００９】
上記の記録媒体搬送装置は、前記係合部は、隣接する前記単位フラップとの間の係合状態を切り替える切替部を有する。  
本発明によれば、係合部が隣接する単位フラップとの間の係合状態を切り替える切替部を有することとしたので、例えば記録媒体の搬送時においてのみ係合させることも可能となる。これにより、幅広い動作が可能となる。
【００１０】
上記の記録媒体搬送装置は、前記切替部は、前記記録媒体の押圧力によって前記係合状態を切り替え可能に設けられている。  
本発明によれば、切替部が記録媒体の押圧力によって係合状態を切り替え可能に設けられていることとしたので、例えば記録媒体が通過するときに係合状態とし、記録媒体の通過後に係合状態を解除することができる。
【００１１】
上記の記録媒体搬送装置は、前記単位フラップは、個別に付勢されていることが好ましい。  
本発明によれば、単位フラップが個別に付勢されているため、確実に経路を遮断することができる。
【図面の簡単な説明】
【００１２】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】フラップの詳細を示す斜視図、平面図及び側面図である。
【図７】フラップと中間ローラの配置関係を示す側面図である。
【図８】フロント給紙の際のフラップの状態を示す側面図である。
【発明を実施するための形態】
【００１３】
図１は、本発明の一実施の形態に係る記録装置の１つであるインクジェット式複合機の外観構成の全体を示す斜視図、図２は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１４】
このインクジェット式複合機１００は、図１に示すように、全体が略直方体状のハウジング１０１で覆われており、下段にプリンタ１１０が配設され、上段にスキャナ１２０が配設された構成となっている。そして、本発明の特徴的な部分を含む３つの給紙部が配設されている。すなわち、背面側に給紙部（第１の供給部）１３０が配設され、前面側に給排紙部（第２の供給部）１４０が配設され、さらに前面側の給排紙部１４０の上に給排紙部（第３の供給部）２４０が配設されている。ユーザは、記録前の用紙のセッティング方向として背面側の給紙部１３０及び前面側の給排紙部１４０、２４０の一つまたは全部を選択することができるので、インクジェット式複合機１００の設置位置の自由度を高めることができる。さらに、記録後の用紙は常に前面側の給排紙部１４０、２４０から排紙されるので、ユーザは用紙を容易に取り出すことができる。以下の実施形態では、給紙部１３０及び給排紙部１４０を用いた場合を例に挙げて説明する。
【００１５】
ユーザは、記録前の用紙のセッティング方向として背面側の給紙部１３０及び前面側の給排紙部１４０の一つまたは全部を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１６】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１７】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１８】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１９】
ハウジング１０１内には、図２及び図３に示すように、給紙部１３０、給排紙部１４０、給排紙部２４０、記録部１５０等が配設されている。そして、図３に示すように、給紙部１３０と給排紙部１４０と給排紙部２４０の各給紙経路の合流点には、本発明の特徴的な部分であるフラップ（案内部材）２００が配設されている。このフラップ２００は、給紙部１３０、給排紙部１４０または給排紙部２４０から給紙される用紙を高精度に案内して記録及び排紙の各精度を高める機能を有し、その詳細については後述する。
【００２０】
給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。
【００２１】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００２２】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００２３】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００２４】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００２５】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２６】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。
【００２７】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２８】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。
【００２９】
図５は、フロントＡＳＦ１４４の詳細を示す側面図であり、図３及び図５を参照して説明する。フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６等を備えている。
【００３０】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００３１】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００３２】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００３３】
給排紙部２４０は、給排紙部１４０の排紙トレイ１４３上を利用して前面側で給紙し、スイッチバックさせて前面側で排紙するように構成されており、給排紙時に折り曲げることが不可能な厚手の用紙や光ディスク等が収納されたトレイを手差しで給紙、供給することが可能なようになっている。なお、以下では、給紙部１３０による給紙をリア給紙、給排紙部１４０による給紙をフロント給紙、給排紙部２４０による給紙をセンタ給紙という。
【００３４】
記録部１５０には、図３に示すように、記録動作に同期して副走査方向に用紙を送る紙送りローラ１５１とその従動ローラ１５２、記録動作に同期して主走査方向に移動するキャリッジ１５３、記録動作に同期してインクを吐出する記録ヘッド１５４、記録時の用紙を平坦に保持するプラテン１５５等が配設されている。
【００３５】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６により従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３６】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００３７】
上記構成のインクジェット式複合機１００においては、給紙部１３０によるリア給紙は、図６矢印ａで示す方向に用紙が流れ、給排紙部１４０によるフロント給紙は、図６矢印ｂで示す方向に用紙が流れる。そして、リア給紙とフロント給紙とセンタ給紙の各用紙給送経路の合流点には、用紙の給紙を案内するフラップ（案内部材）２００が配設されている。
【００３８】
このフラップ２００は、中間ローラ４５とアシストローラ４６の上部に沿って配設されており、図７及び図８に示すように、複数の単位フラップ２１０と、この単位フラップ２１０に一体形成されている複数のフラップリブ２２０を備えている。単位フラップ２１０は、例えば搬送方向の直交方向に複数、例えば５つ配列されている。
【００３９】
各単位フラップ２１０は、略矩形平板状に形成されており、中間ローラ４５とアシストローラ４６の上部に略平坦となるように配置され、合流点側を自由端として他端側に設けられている不図示の軸受に軸が挿入されて回動自在に配設されている。これにより、フラップ２００は、自重もしくは用紙の給送力により上下に可動するようになっている。各単位フラップは、付勢部材２１２によって例えば同一方向に個別に付勢されており、用紙の搬送経路のうち一方を遮断した状態になっている。ここでは、例えば図３に示す搬送経路ａを開放しかつ搬送経路ｂを遮断するように付勢されている。ただし、この付勢力は用紙が通過する際の押圧力よりも小さくなっており、用紙の通過時の押圧力によって単位フラップ２１０が動くようになっている。
【００４０】
単位フラップ２１０は、隣接する単位フラップ２１０に係合する係合部２１１を有している。係合部２１１は、隣接する単位フラップ２１０側に突出して設けられている。各単位フラップ２１０には、当該係合部２１１を受ける凹部２１３が設けられている。各単位フラップ２１０は、係合部２１１と凹部２１３との間で係合されるようになっており、係合状態においては連動して揺動するようになっている。このため、例えば用紙が通過するときに全ての単位フラップ２１０が一体的に揺動するようになっている。
【００４１】
本実施形態によれば、搬送経路ａ又は搬送経路ｂを遮断するフラップ２００が、支持軸を支点として揺動可能に設けられ、フラップ２００が用紙の搬送方向に直交する方向に設けられる複数の単位フラップ２１０を有し、複数の単位フラップ２１０は、一の単位フラップ２１０の揺動に伴って当該一の単位フラップ２１０に隣接する単位フラップ２１０が一体的に揺動するように形成されており、搬送経路ａを開放しかつ搬送経路ｂを遮断するように付勢されていることとしたので、用紙のサイズによらず連動して揺動することができる。これにより、用紙のサイズによらずスムーズに用紙を搬送することができる。
【００４２】
本発明の技術範囲は上記実施形態に限定されるものではなく、本発明の趣旨を逸脱しない範囲で適宜変更を加えることができる。  
例えば、上記実施形態の構成において、係合部２１０の係合状態を切り替える切替部を設ける構成としても構わない。切替部は、例えば用紙の押圧力によって係合部２１０の係合状態を切り替えるように構成されることが好ましい。この構成においては、用紙が通過するときに各単位フラップ２１０が係合状態となり、用紙が通過した後には係合状態が解除されることになる。
【符号の説明】
【００４３】
１００ インクジェット式複合機、１０１ ハウジング、１１０ プリンタ、１２０ スキャナ、１３０ 給紙部、１３１ リア給紙口、１３２ フレーム、１３３ ペーパーサポート、１３４ リアＡＳＦ、１４０、２４０ 給排紙部、１４１ フロント給排紙口、１４２ 給紙トレイ、１４３ 排紙トレイ、１４４ フロントＡＳＦ、１５０ 記録部、２００ フラップ
【図１】
2011057354.tif 000003
【図２】
2011057354.tif 000004
【図３】
2011057354.tif 000005
【図４】
2011057354.tif 000006
【図５】
2011057354.tif 000007
【図６】
2011057354.tif 000008
【図７】
2011057354.tif 000009
【図８】
2011057354.tif 000010